(57)【特許請求の範囲】
【請求項１】
車両の現在位置を検出する現在位置検出手段と、
目的地を指示する目的地指示手段と、
表示手段と、
目的地までの経路を地図データに基づいて探索する経路探索制御手段とを備えるナビゲーション装置において、
国または地域を階層的に選択する選択手段と、
前記選択手段によって階層的に選択されて特定された国または地域に基づいて電話番号の少なくとも一部を前記表示手段によって表示する電話番号制御手段とを含むことを特徴とするナビゲーション装置。
【請求項２】
車両の現在位置を検出する現在位置検出手段と、
目的地を指示する目的地指示手段と、
表示手段と、
目的地までの経路を地図データに基づいて探索する経路探索制御手段とを備えるナビゲーション装置において、
国または地域を階層的に選択する選択手段と、
国または地域に対応する国番号または市外局番をストアする電話番号メモリと、
前記選択手段によって階層的に選択されて特定された国または地域に対応する国番号または市外局番を電話番号メモリから読み出して前記表示手段によって表示する電話番号制御手段と、
電話番号のうち、前記選択手段によって階層的に選択されて特定された国または地域に対応する国番号または市外局番に後続する番号を入力する番号入力手段とを含み、
前記電話番号制御手段は、
前記番号入力手段により前記選択手段によって階層的に選択されて特定された国または地域に対応する国番号または市外局番に後続する番号が入力された場合に、前記電話番号メモリから読み出した国番号または市外局番を、前記番号入力手段によって入力された番号に付加して構成される電話番号を表す信号を外部の電話機へ導出することを特徴とするナビゲーション装置。
【請求項３】
前記選択手段は、前記表示手段に表示される地図によって、国または地域を階層的に選択することを特徴とする請求項１または２に記載のナビゲーション装置。
【発明の詳細な説明】
【０００１】
【発明の属する技術分野】
本発明は、たとえば自動車などの車両に搭載されて道路を探索するナビゲーション装置に関し、特に電話通信のために実施されるナビゲーション装置に関する。
【０００２】
【従来の技術】
従来から、電話通信を行うにあたっては数値キーを操作し、たとえば国番号および市外局番などを、市内番号の入力に先立って入力しなければならない場合がある。市内番号は、市内局番と加入者番号とから成る。市内番号のみを用いて、電話通信を行う頻度が、一般的には多く、市外番号さらには国番号を必要とする頻度は少ない。したがってその市外番号および国番号を操作者が記憶することは困難であり、操作者が電話帳などでそれらの市外番号および国番号を調べる必要がある。
【０００３】
この問題を解決する先行技術は、特開平５−３７７６２に開示される。この先行技術では、ファクシミリ送信のために国名または地名を、Ａ〜Ｚのキー操作で入力し、これによって国番号または市外局番を検索し、出力する。この先行技術では、アルファベットのキー入力が煩雑であり、特に車両搭載機器では、安全運転の観点から好ましくない。このことは、他の先行技術である特開平９−１７２４８０においてキーボードを用いて地名情報を入力して市外局番を検索する携帯電話機においても、同様な不都合がある。
【０００４】
【発明が解決しようとする課題】
本発明の目的は、操作性を向上し、安全運転を確保することができるようにして国番号または市外局番を知ることができるようにしたナビゲーション装置を提供することである。
【０００５】
【課題を解決するための手段】
本発明は、車両の現在位置を検出する現在位置検出手段と、
目的地を指示する目的地指示手段と、
表示手段と、
目的地までの経路を地図データに基づいて探索する経路探索制御手段とを備えるナビゲーション装置において、
国または地域を階層的に選択する選択手段と、
前記選択手段によって階層的に選択されて特定された国または地域に基づいて電話番号の少なくとも一部を前記表示手段によって表示する電話番号制御手段とを含むことを特徴とするナビゲーション装置である。
【０００６】
本発明に従えば、車両に搭載されて用いられるナビゲーション装置では、地図メモリから読出された地図上に、現在位置検出手段によって検出されたたとえば車両などの現在位置から目的地指示手段によって指示された目的地までの道路などの経路を経路探索制御手段によって探索して、たとえば液晶または陰極線管などの２次元表示手段の表示画面に目視表示などの表示を行う。
【０００７】
特に本発明に従えば、選択手段を用いて、電話をかけるべき相手の国または地域を階層的に選択して特定する。この選択手段は、たとえば前述の先行技術に関連して述べたＡ〜Ｚのアルファベットキーまたはキーボードなどとは異なってもよく、後述の図５および図６に示されるテーブルリストによって選択して操作し、または図７および図８の地図によって選択して操作するようにしてもよく、これによって入力操作が簡便になり、国または地域の入力操作がきわめて容易になる。したがって車両の安全運転の観点から、操作性が簡単であることは、好ましい。こうして選択手段によって国または地域が選択されて入力されると、電話番号制御手段は、たとえば電話番号メモリなどから電話番号の一部、たとえば国番号または市外局番を読出すなどして前記表示手段によって表示する。
【０００８】
操作者は、この表示手段によって表示された国番号または市外局番などの電話番号の一部をたとえば目で見て、たとえば別途に準備した携帯電話機などの電話機を操作し、ダイアル発信を行うことができる。本発明の実施の他の形態では、こうして得られた国番号または市外局番を用いて自動的に電話機のダイアル発信を行うことができる。操作者は、表示手段の表示画面を見ることによって、国番号または市外局番が適切に選択して入力されたことを確認することができる。
【０００９】
また本発明は、車両の現在位置を検出する現在位置検出手段と、
目的地を指示する目的地指示手段と、
表示手段と、
目的地までの経路を地図データに基づいて探索する経路探索制御手段とを備えるナビゲーション装置において、
国または地域を階層的に選択する選択手段と、
国または地域に対応する国番号または市外局番をストアする電話番号メモリと、
前記選択手段によって階層的に選択されて特定された国または地域に対応する国番号または市外局番を電話番号メモリから読み出して前記表示手段によって表示する電話番号制御手段と、
電話番号のうち、前記選択手段によって階層的に選択されて特定された国または地域に対応する国番号または市外局番に後続する番号を入力する番号入力手段とを含み、
前記電話番号制御手段は、
前記番号入力手段により前記選択手段によって階層的に選択されて特定された国または地域に対応する国番号または市外局番に後続する番号が入力された場合に、前記電話番号メモリから読み出した国番号または市外局番を、前記番号入力手段によって入力された番号に付加して構成される電話番号を表す信号を外部の電話機へ導出することを特徴とするナビゲーション装置である。
本発明に従えば、電話番号制御手段が電話番号メモリから読出すことによって得られた国番号または市外局番に後続する番号、すなわちたとえば市内局番および加入者番号から成る市内番号を、０〜９のテンキーである数値キーなどから成る番号入力手段によって入力し、これによって電話番号制御手段は、国番号または市外局番を、番号入力手段によって入力された前述の後続する番号に付加して電話番号を構成し、この電話番号を表す信号を、外部の電話機へ導出する。
【００１２】
また本発明は、前記選択手段は、前記表示手段に表示される地図によって、国または地域を階層的に選択することを特徴とする。
【００１３】
本発明の実施の一形態では、後述のように、表示手段の表示画面上に、２次元座標位置を入力するためのスイッチング手段を配置し、表示画面には、後述の図５〜図８に示されるテーブルまたは地図などが表示され、操作者は、それらのテーブルまたは地図上の希望する国または地域をたとえば指などで操作して選択することができる。スイッチング手段の２次元出力は、選択信号出力手段に与えられ、その座標位置が検出され、座標位置に対応した国または地域を表す選択信号が出力される。スイッチング手段は、たとえば一対の間隔をあけて配置された透光性基板の対向する各表面に行および列状に交差する透光性電極が配置され、上方の基板は可撓性を有し、操作者の指で押圧操作することによって、各基板の電極が電気的に導通し、選択信号出力手段は、この導通した電極を検出するように構成される。こうして押圧操作された２次元の座標位置を検出することができる。本発明の実施の他の形態ではスイッチング手段は、指が近接されることによってその指の近接された位置の静電容量の変化を検出して２次元座標位置を検出するように構成されてもよく、その他の構成によって実現されてもよい。
【００１４】
すなわち本発明の実施の一形態では、後述のように、国または地域の番号を入力するために、表示手段によって地図を表示し、この地図を見ながらスイッチング手段を操作して国または地域を指定し、国番号または市内局番の入力を行うようにすることができる。番号入力手段によってさらに市内番号を入力する。こうして操作性が向上される。この発明は、たとえば携帯電話機、自動車電話機および家屋に設置された電話機などに関連して広範囲に実施することができる。本発明のさらに他の実施の形態では、メモリに、後述の図５および図６に示される国名または地域名が、国番号または市外局番に対応してストアされ、表示手段の表示画面に表示された図５または図６のテーブルのうち、スイッチング手段によって国または地域を選択して入力し、これによって国番号または地域番号を入力し、番号入力手段から入力される市内番号に付加して自動的なダイアル発信を行うように構成してもよい。
【００１７】
【発明の実施の形態】
図１は、本発明の実施の一形態の電気的構成を示すブロック図である。本発明のナビゲーション装置１は、ナビゲーション装置本体２と電話機３とが、着脱可能なコネクタ４，５を介して可撓線６によって相互に接続される。このナビゲーション装置１は、自動車などの車両に搭載されて運転席の近傍に設置される。ナビゲーション装置本体２は、車両の現在位置から目的地までの経路探索を行って表示手段７の表示画面３０上にその経路を目視表示する。この表示手段７によってまた、携帯電話および自動車電話のための国番号または市外局番を検索して表示させ、さらに電話機３によって、前記検索した国番号または市外局番を用い、市外局番の前に市外識別番号「０」を自動的に付加し、それらを、さらに０〜９のテンキーである数値キー８によって入力した市内番号に付加して自動的にダイアル発信することができる。
【００１８】
ナビゲーション装置本体２において、現在位置検出手段９は、車両の緯度および経度から成る現在位置を検出する。この現在位置検出手段９は、たとえばＧＰＳ（Ｇｌｏｂａｌ  Ｐｏｓｉｔｉｏｎｉｎｇ  Ｓｙｓｔｅｍ）方式であって、複数の人工衛星からの信号を利用して、自車の地球上の現在位置を検出することができる。さらに車体に設けられた方位センサ１０および走行距離を検出する距離センサ１１などを用いて、自車の現在位置の補正を行うこともできる。さらに無線機１２が接続されてもよい。これらの各構成要素９〜１２およびコネクタ４は、インタフェイス１３を介して、マイクロコンピュータなどによって実現される処理回路１４のバス１５に接続される。処理回路１４は、中央処理回路ＣＰＵ１６と、リードオンリメモリ１７とランダムアクセスメモリ１８とを含む。中央処理回路１６はまた、表示手段７に、表示コントローラ１９を介して接続され、地図および電話番号などの表示が行われる。さらにその表示または音響出力の制御は、グラフィックメモリ２０およびグラフィックコントローラ２１の働きによって達成される。さらにメモリ媒体であるコンパクトディスク２２が、ドライバ２３によって駆動され、リードオンリメモリ制御回路２４として用いることができる。自動車に搭載されたバッテリである電源２５からの電力は、スイッチ２６を経て電源回路を構成するレギュレータ２７に与えられ、本件ナビゲーション装置１およびその他の電気機器に電力が供給され、さらに照明灯２７ａにスイッチ２８を介して与えられる。さらにこの電力は、検出回路２９に与えられ、スイッチ２６の電源投入によって、処理回路１４の動作が行われる。表示手段７の表示画面３０上には、スイッチイング手段３１が配置される。このスイッチング手段３１は、表示画面３０上の座標位置を入力する働きをし、偏平であって透光性を有し、たとえば透明である。
【００１９】
電話機３は、携帯電話機または自動車電話機などであってもよい。この電話機３は、送受話器であるハンドセット３２とコネクタ５とがインタフェイス３３に接続され、またこのインタフェイス３３は、無線で公衆電話回線３４に接続される。インタフェイス３３は、バス３５を介してマイクロコンピュータなどによって実現される処理回路３６に接続される。処理回路３６は、中央処理回路３７とリードオンリメモリ３８とランダムアクセスメモリ３９とを含む。さらに電話番号の入力などのための０〜９の数値キーを含む入力手段４１が設けられる。さらに電話機３を、コネクタ５を取外して単体で使用する際に用いられる電話番号などの表示のための表示手段４２が設けられ、その表示コントローラ４３が備えられる。さらに表示手段４２のためのグラフィックメモリ４４およびグラフィックコントローラ４５が備えられる。電話機３において入力手段４１から電話番号を入力することによって、その電話番号は表示手段４２の表示画面に表示され、電話回線３４を介してダイアル発信され、無線電話通信をすることができる。さらに可撓線６を介してコネクタ５からインタフェイス３３に与えられる電話番号を表す信号が入力されると、その信号によって表される電話番号のダイアル発信動作が行われる。このような動作は、処理回路３６の働きによって達成される。
【００２０】
図２は、ナビゲーション装置本体２における処理回路１４に含まれる中央処理回路１６の構成を簡略化して示すブロック図である。この中央処理回路１６では、表示手段７の表示画面３０を見て、操作者はスイッチング手段３１を操作し、これによって電話番号の一部を構成する国番号検出手段４７によって記憶装置４６のストア内容に基づいて国番号が検出され、また市外局番検出手段４８は記憶装置４６のストア内容に基づいて市外局番を検出する。
【００２１】
ダイアル発信時には、検出手段４７，４８によってそれぞれ検出された国番号および市外局番を、付加手段４９，５０によって自動的に市内番号に付加されてダイアル発信が自動的に行われる。記憶装置４６は、図１に示されるコンパクトディスク２２、そのコンパクトディスク２２のドライバ２３およびそのコンパクトディスク２２のストア内容を読出して処理回路１４に与えるメモリ制御回路２４などを含む。コンパクトディスク２２にはまた、経路探索のための地図がストアされて地図メモリを構成し、さらに、国と各国に個別的に対応した国番号とがストアされ、さらに各国内の地域とその地域に個別的に対応した市外局番とが対応してストアされ、こうして電話番号メモリを構成する。
【００２２】
図３は、ナビゲーション装置本体２の表示手段７によってその表示画面３０に表示されている状態を示す正面図である。ナビゲーション装置本体２は、そのメニュー画面にテーブル５１で示されるように、現在位置から目的地までの地図上の道路である経路を探索する場所の探索の表示態様５２と、その画面３０の明るさなどを調整する設定の表示態様５３と、電話機３を用いて電話をかける表示態様５４と、コネクタ４が電話機３と取外され、表示手段７によって画面３０に電話番号を表示する表示態様５５などが表示される。表示手段７の画面３０上に図３に示されるテーブル５１が表示されている状態で、スイッチング手段３１を操作者が指で操作し、各表示態様５２〜５５のうちの１つをたとえば押圧操作するなどして選択することによって入力することができる。場所の探索の表示態様５２を操作することによって、コンパクトディスク２２の地図が読出され、その表示された地図上に、現在位置検出手段９によって検出された自車の現在位置が表示されるとともに、入力手段８およびスイッチング手段３１を操作することによって目的地を指示して入力することができる。これによって処理回路１４の中央処理回路１６は、現在位置から目的地までの経路を地図上で探索し、その地図上に、探索して得られた経路を表示する。
【００２３】
前述の図３に示される表示状態においてテーブル５１の電話をかける表示態様５４が、スイッチング手段３１の操作によって選択されて入力されると、処理回路１４の中央処理回路１６は、図４に示される動作を実行する。
【００２４】
図４は、電話機３によって電話をかけるときの中央処理回路１６の動作を説明するためのフローチャートである。ステップａ１からステップａ２に移り、前述のように表示手段７の表示画面３０上に設けられたスイッチング手段３１によって電話をかける表示態様５４が入力操作されて電話をかける指示が入力されると、次のステップａ３に移る。ステップａ３では、国および市外局番を、ナビゲーション装置本体２の機能を用いて入力するかどうかが判断される。国番号および市外局番が、入力手段８またはスイッチング手段３１の働きによってコンパクトディスク２２のストア内容を用いて選択して入力することが決定されると、ステップａ４に移る。ステップａ４では、図５に示されるようにテーブル５６が表示される。テーブル５６では、複数の各国の国名が表として表示される。操作者はスイッチング手段３１を操作し、国を選択する。そこでステップａ５では、中央処理回路１６は、コンパクトディスク２２にストアされている選択された国に対応する国番号を検索して読出す。こうしてステップａ６では、その読出された国番号をランダムアクセスメモリ１８に転送し、市内番号の入力時に、その国番号を付加することができる状態とする。ステップａ７では、さらに市外局番を、コンパクトディスク２２のストア内容に基づいて入力するかどうかが、入力手段８またはスイッチング手段３１の操作によって選択して入力される。これによって表示手段７の表示画面３０には、ステップａ８において図６に示されるようにテーブル５７で表示される各地域を、スイッチング手段３１の操作によって選択して入力することができる。中央処理回路１６は、図６における表示画面３０のテーブル５７に表示された地域を、スイッチング手段３１によって選択して入力することによって、その選択された地域の市外局番が、コンパクトディスク２２から読出されて処理回路１４のメモリ１８に転送される。こうしてステップａ９では、選択された地域に対応する市外局番が検索され、上述のようにメモリ１８に転送され、市内番号に付加されることができる状態となる。この検索された国番号／市外局番は、表示画面の表示領域６１に表示される。
【００２５】
ステップａ１１では、入力手段８またはスイッチング手段３１を操作し、市内局番および加入者番号を、数値キーなどを用いて入力する。これによってステップａ１２では、電話機３に電力が供給されるなどし、電話機３が動作状態となる。ステップａ１３では、メモリ３９に転送されてストアされている国番号および市外局番を、市内番号に付加し、こうして構成される電話番号を表す信号を、可撓線６を介して電話機３に与える。これによって処理回路３６は、電話回線３４を用いて自動的なダイアル発信動作を行って電話通信が可能になる。こうして、国または地域を、階層的に選択して特定することができる。
【００２６】
図７は、本発明の実施の他の形態におけるナビゲーション装置本体２の表示手段７における表示画面３０によって表示された状態を示す正面図である。この実施の形態では、前述の図５に示される国番号の選択入力のために、前述のテーブル５６に代えてコンパクトディスク２２にストアされている地図５９が表示される。操作者が、この画面３０上に配置されているスイッチング手段３１をたとえば押圧操作するなどして操作して、その操作した位置の国を選択して入力する。これによって前述のステップａ４における国の選択ステップが達成される。また同様にして図８に示されるように、図４の地域を選択するステップａ８では、地図６０が表示画面３０に表示され、操作者はスイッチング手段３１をたとえば押圧操作するなどして操作し、地域を選択して入力する。そのほかの構成と動作は、前述の実施の形態と同様である。図５〜図８における表示領域６１には、検索された国番号および市外局番が表示され、さらに数値キーを用いて入力された市内番号が表示される。操作者は、この表示領域６１に表示された電話番号の少なくとも一部分を目で見て確認することができる。
【００２７】
図９は、本発明の実施の他の形態におけるナビゲーション装置本体２の処理回路１４に含まれる中央処理回路１６の動作を説明するためのフローチャートである。この操作は、前述の図４に示される動作に類似する。図９の実施の形態では、国番号だけがコンパクトディスク２２のストア内容に基づき、前述の図５および図７に示される表示画面３０の表示状態で、スイッチング手段３１を操作して国番号の検索が行われる。図９のステップｂ１〜ｂ６は、図４のステップａ１〜ａ６にそれぞれ対応する。ステップｂ７，ｂ８における市外局番および市内番号は、入力手段８およびスイッチング手段３１の操作によって行われる。その後のステップｂ９〜ｂ１１は、前述のステップａ１２〜ａ１４と同様である。さらにステップｂ１２は、前述のステップａ１５と同様である。
【００２８】
図１０は、本発明の実施のさらに他の形態のナビゲーション装置本体２における処理回路１４に含まれる中央処理回路１６の動作を説明するためのフローチャートである。この実施の形態は、前述の図４に関連して述べた実施の形態に類似する。この実施の形態では、市外局番の選択入力のために、コンパクトディスク２２のストア内容が用いられる。ステップｃ１〜ｃ３は、前述の図４のステップａ１〜ａ３に対応し、ステップｃ４〜ｃ１１は、図４のステップａ８〜ａ１５にそれぞれ対応する。上述の各実施の形態において国番号が選択入力されず、または数値キーによって国番号が入力されないとき、国内の電話番号として、ダイアル発信が行われる。
【００２９】
本発明の実施の他の形態では、コンパクトディスク２２をリードオンリメモリとして用いる代りに、ＤＶＤ（Ｄｉｇｉｔａｌ  Ｖｅｒｓａｔｉｌｅ  Ｄｉｓｃ）およびそのほかの記録媒体が用いられてもよい。
【００３０】
【発明の効果】
本発明によれば、電話通信をしようとする人は、電話番号の一部、たとえば国番号または市外局番を覚える必要なしに、たとえば車両に搭載されたナビゲーション装置を利用して、国番号または市外局番などを知ることができる。しかもその国または地域は、たとえばテーブルまたは地図などの選択によって入力することができるようにしてもよい。したがって操作性が良好である。特に、車両に搭載されたナビゲーション装置における操作性を向上することができ、安全運転の観点から、好ましい。
選択手段によって階層的に選択して特定される国または地域というのは、国または地域のいずれか一方であってもよく、国および地域の両者であってもよい。また経路探索結果が表示される表示手段の表示画面をそのまま利用して、国番号または市外局番を表示するように構成すれば、構成の簡略化を図ることができるという効果もある。
【００３１】
本発明によれば、国番号または市外局番を、表示された地図上の国または地域を指示入力することによって、それらの国番号または市外局番を自動的に入力することができ、操作性が向上される電話装置が実現される。
【００３３】
本発明によれば、表示手段に表示される地図を見ながら国または地域を階層的に選択して入力することができるので、操作性が向上される。
【図面の簡単な説明】
【図１】本発明の実施の一形態の電気的構成を示すブロック図である。
【図２】ナビゲーション装置本体２における処理回路１４に含まれる中央処理回路１６の構成を簡略化して示すブロック図である。
【図３】ナビゲーション装置本体２の表示手段７によってその表示画面３０に表示されている状態を示す正面図である。
【図４】電話機３によって電話をかけるときの中央処理回路１６の動作を説明するためのフローチャートである。
【図５】ナビゲーション装置本体２の表示手段７における表示画面３０によって表示された国のテーブルの状態を示す正面図である。
【図６】ナビゲーション装置本体２の表示手段７における表示画面３０によって表示された地域のテーブルの状態を示す正面図である。
【図７】本発明の実施の他の形態におけるナビゲーション装置本体２の表示手段７における表示画面３０によって表示された国の地図の状態を示す正面図である。
【図８】本発明の実施の他の形態におけるナビゲーション装置本体２の表示手段７における表示画面３０によって表示された地域の地図の状態を示す正面図である。
【図９】本発明の実施の他の形態におけるナビゲーション装置本体２の処理回路１４に含まれる中央処理回路１６の動作を説明するためのフローチャートである。
【図１０】本発明の実施のさらに他の形態のナビゲーション装置本体２における処理回路１４に含まれる中央処理回路１６の動作を説明するためのフローチャートである。
【符号の説明】
１  ナビゲーション装置
２  ナビゲーション装置本体
３  電話機
４，５  コネクタ
６  可撓線
７  表示手段
８  数値キー
９  現在位置検出手段
１３  インタフェイス
１４  処理回路
１６  中央処理回路
１７，２４，３８  リードオンリメモリ
１８，３９  ランダムアクセスメモリ
２２  コンパクトディスク
２９  検出回路
３０  表示画面
３１  スイッチング手段
３２  ハンドセット
３３  インタフェイス
３４  公衆電話回線
４１  入力手段
４２  表示手段
４６  記憶装置
４７  国番号検出手段
４８  市外局番検出手段
４９，５０  付加手段
５１，５６  テーブル
５２〜５５  表示態様
５９，６０  地図
６１  表示領域
【図１】
0003617924.tif 000002
【図２】
0003617924.tif 000003
【図３】
0003617924.tif 000004
【図４】
0003617924.tif 000005
【図５】
0003617924.tif 000006
【図６】
0003617924.tif 000007
【図７】
0003617924.tif 000008
【図８】
0003617924.tif 000009
【図９】
0003617924.tif 000010
【図１０】
0003617924.tif 000011